(57)【要約】    【課題】  装着しやすく且つ後頭部から首にかけた部分をより一層保護し得るバンダナを提供することにある。    【解決手段】  頭に装着される際に三角形状の形態をなすように形成され、該三角形状の一辺部が、頭の周に巻回されることにより頭に装着される装着部となるバンダナであって、  前記三角形状の両他辺部には、前記装着部となる一辺部の対角側に外方に膨出した膨出部が形成されてなることを特徴とするバンダナを提供する。【選択図】  図１
2010159505.tif 000002
【特許請求の範囲】
【請求項１】
頭に装着される際に三角形状の形態をなすように形成され、該三角形状の一辺部が、頭の周に巻回されることにより頭に装着される装着部となるバンダナであって、
前記三角形状の両他辺部には、前記装着部となる一辺部の対角側に外方に膨出した膨出部が形成されてなることを特徴とするバンダナ。
【請求項２】
前記装着部が、他の部分よりも厚みを有する請求項１記載のバンダナ。
【請求項３】
前記装着部は、中央に配され額を被覆する額被覆部と、該額被覆部の両側に配され、互いに括り付けられることにより前記装着部が固定される一対の括付部とを備え、該額被覆部は、前記括付部よりも厚みを有する請求項２記載のバンダナ。
【請求項４】
防蚊剤が付着された布部材で形成されてなる請求項１〜３の何れかに記載のバンダナ。
【発明の詳細な説明】
【技術分野】
【０００１】
本発明は、バンダナに関し、詳しくは、頭に装着される際に三角形状の形態をなすように形成されてなるバンダナに関する。
【背景技術】
【０００２】
従来より、この種のバンダナは、例えば、直射日光を浴びることにより体力が消耗されるのを抑制すべく又は蚊を除けるべく頭部側を保護するように頭に装着されて用いられる。
【０００３】
斯かるバンダナは、通常、三角形状に形成されたものが用いられたり、正方形状に形成されて、頭に装着される際に三角形状の形態をなすように折り畳まれて用いられたりしている。また、斯かるバンダナは、該三角形状の一辺部が、頭の周に巻回されることにより頭に装着される装着部となるように構成され、該装着部は、互いに括り付けられることにより該装着部が固定される一対の括付部を備えて構成されてなる。
【発明の概要】
【発明が解決しようとする課題】
【０００４】
しかしながら、斯かるバンダナは、後頭部から首にかけた部分を十分に被覆することができず、この部分を直射日光（特に紫外線（ＵＶ））や蚊から十分に保護することができないという問題がある。
【０００５】
一方で、この部分を十分に被覆し得るように該バンダナが大きく形成された場合には、該バンダナを装着する際に前記括付部が太く且つ長くなり過ぎてしまい括付部が括られ難くなり、その結果、該バンダナが装着され難くなってしまうという問題がある。
【０００６】
本発明の課題は、上記問題点に鑑み、装着しやすく且つ後頭部から首にかけた部分をより一層保護し得るバンダナを提供することにある。
【課題を解決するための手段】
【０００７】
本発明は、頭に装着される際に三角形状の形態をなすように形成され、該三角形状の一辺部が、頭の周に巻回されることにより頭に装着される装着部となるバンダナであって、
前記三角形状の両他辺部には、前記装着部となる一辺部の対角側に外方に膨出した膨出部が形成されてなることを特徴とするバンダナにある。
【０００８】
斯かるバンダナによれば、前記膨出部が前記三角形状の両他辺部に形成されてなることにより、頭に装着される際に後頭部から首にかけた部分がより一層被覆され得るため、装着しやすく且つ後頭部から首にかけた部分をより一層保護し得る。
【０００９】
また、本発明に係るバンダナにおいては、好ましくは、前記装着部が、他の部分よりも厚みを有する。
【００１０】
斯かるバンダナによれば、前記装着部が厚みを有することにより腰がでて、該装着部を頭に括り付ける際に装着部が滑り難く且つ生地が伸び難くなり該装着部が括りやすくなるため、より一層装着しやすくなるという利点がある。また、前記他の部分が前記装着部よりも厚みがないことにより、柔軟性が保持されてごわつかず使用感に優れたものとなる。
【００１１】
また、前記装着部が他の部分よりも厚みを有するバンダナにおいては、好ましくは、前記装着部が、額を被覆する額被覆部と、互いに括り付けられることにより前記装着部が固定される一対の括付部とを備え、該額被覆部が、前記括付部よりも厚みを有する。
【００１２】
斯かるバンダナによれば、前記額被覆部が前記括付部よりも厚みを有することにより腰がでて、該装着部を頭に括り付ける際に額被覆部が滑り難くなるため、前記額被覆部を固定しながら該括付部どうしが括りやすくなり、より一層装着しやすくなるという利点がある。また、前記括付部が前記額被覆部よりも厚みがないことにより、該括付部どうしを括りやすくなり、より一層装着しやすくなるという利点がある。さらに、バンダナが吸水し得る布地で形成されている場合には、前記額被覆部が前記括付部よりも厚みを有することにより、汗が比較的多く流れる額に当接する額被覆部が汗を吸収しやすくなるという利点もある。
【００１３】
さらに、本発明に係るバンダナにおいては、好ましくは、防蚊剤が付着された布部材で形成されてなる。
【００１４】
斯かるバンダナによれば、蚊からも頭部側を保護し得るという利点がある。
【００１５】
また、本発明に係るバンダナにおいては、好ましくは、ＵＶカット素材で形成されてなる。
【００１６】
斯かるバンダナによれば、ＵＶから頭部側を保護し得るという利点がある。
【発明の効果】
【００１７】
以上のように、本発明によれば、装着しやすく且つ後頭部から首にかけた部分をより一層保護し得るバンダナを提供することができる。
【図面の簡単な説明】
【００１８】
【図１】一実施形態に係るバンダナを展開した状態を示す正面図。
【図２】同バンダナを装着した一状態を示す斜視図。
【発明を実施するための形態】
【００１９】
以下、添付図面を参照しつつ、本発明の一実施形態について説明する。
図１は、本実施形態に係るバンダナを展開した状態を示す正面図である。
【００２０】
図１に示すように、本実施形態のバンダナ１は、三角形状に形成されてなる。
【００２１】
また、本実施形態のバンダナ１は、該三角状の一辺部が、頭の周に巻回されることにより頭に装着される装着部２となる。
【００２２】
さらに、本実施形態のバンダナ１は、前記三角形状の両他辺部に、前記装着部２となる一辺部の対角側に外方に膨出した膨出部３が形成されてなる。
【００２３】
また、本実施形態のバンダナ１は、防蚊剤が付着された布部材で形成されてなる。
【００２４】
前記防蚊剤は、蚊が嫌う化学物質であれば特に限定されるものではなく、該防蚊剤としては、例えば、ユーカリオイル、ヒノキチオール、ディート等が挙げられる。
【００２５】
前記布部材を構成する材料は、前記防蚊剤を保持し得るものであれば特に限定されるものではないが、該材料としては、例えば、ポリエステル繊維、綿繊維、ナイロン繊維等が挙げられる。
なかでも、防蚊剤の保持性に優れるという観点から、ポリエステル繊維が好ましい。さらに、吸水性の向上を図るという観点から、ポリエステル繊維及びナイロン繊維が用いられることがより好ましい。
【００２６】
前記装着部２は、他の部分よりも厚みを有する。また、装着部２は、額を被覆する額被覆部２ａと、互いに括り付けられることにより装着部２が固定される一対の括付部２ｂとを備えてなる。
【００２７】
前記括付部２ｂは、装着部２が巻回される方向の両端部分それぞれに形成されてなる。また、括付部２ｂは、２層の前記布部材で形成されてなる。
【００２８】
前記額被覆部２ａは、装着部２が巻回される方向の略中央部分に形成されてなる。また、額被覆部２ａは、括付部２ｂよりも厚みを有する。さらに、額被覆部２ａは、４層の前記布部材で形成されてなる。
【００２９】
本実施形態のバンダナ１は、装着部２以外の部分が、１層の前記布部材で形成されてなる。
【００３０】
本実施形態のバンダナは、上記の如く構成されてなるが、次ぎに、本実施形態のバンダナの使用方法について説明する。
まず、額被覆部２ａを額に当接させながら装着部２を頭の周に巻回す。次ぎに、括付部２ｂどうしを後頭部側で括り付ける。そして、装着部２となる一辺部の対角側で後頭部側を被覆する。
本実施形態のバンダナは、このようにして、図２に示すような状態となるように装着し使用する。
【００３１】
本実施形態のバンダナは、上記構成により上述の如く使用されてなるので以下の利点を有するものである。
【００３２】
即ち、本実施形態のバンダナ１は、前記膨出部３が前記三角形状の両他辺部に形成されてなることにより、頭に装着される際に後頭部から首にかけた部分がより一層被覆され得るため、装着しやすく且つ後頭部から首にかけた部分をより一層保護し得る。
【００３３】
また、本実施形態のバンダナ１は、前記装着部２が厚みを有することにより腰がでて、該装着部２を頭に括り付ける際に装着部２が滑り難く且つ生地が伸び難くなり該装着部２が括りやすくなるため、より一層装着しやすくなるという利点がある。また、前記他の部分が前記装着部２よりも厚みがないことにより、柔軟性が保持されてごわつかず使用感に優れたものとなる。
【００３４】
さらに、本実施形態のバンダナ１は、前記額被覆部２ａが前記括付部２ｂよりも厚みを有することにより腰がでて、該装着部３を頭に括り付ける際に額被覆部２ａが滑り難くなるため、前記額被覆部２ａを固定しながら該括付部２ｂどうしが括りやすくなり、より一層装着しやすくなるという利点がある。また、前記括付部２ｂが前記額被覆部２ａよりも厚みがないことにより、該括付部２ｂどうしを括りやすくなり、より一層装着しやすくなるという利点がある。さらに、バンダナが吸水し得る布地で形成されている場合には、前記額被覆部２ａが前記括付部２ｂよりも厚みを有することにより、汗が比較的多く流れる額に当接する額被覆部２ａが汗を吸収しやすくなるという利点もある。
【００３５】
また、本実施形態のバンダナ１は、防蚊剤が付着された布部材で形成されてなることにより、蚊から頭部側を保護し得るという利点がある。
【００３６】
尚、本実施形態のバンダナは、上記構成により、上記利点を有するものであったが、本発明のバンダナは、上記構成に限定されず、適宜設計変更可能である。
【００３７】
即ち、本実施形態のバンダナは、三角形状に形成されてなるが、頭に装着される際に三角形状の形態をなすように形成されていれば、広げた際に他の形状に形成されていてもよい。例えば、本実施形態のバンダナは、広げた際には、四角形状の形態をなし、一の対角線上が折り目となるように折り畳まれることにより三角形状の形態をなすように形成されてもよい。
【００３８】
また、本実施形態のバンダナは、防蚊剤が付着された布部材で形成されてなるが、防蚊剤が付着されていない布部材で形成されてもよい。この場合、布部材を構成する材料は、防蚊剤を保持し得るものでなくてもよい。
【００３９】
また、本実施形態のバンダナは、布部材がチタン等の遮光物質が付着されたもの（ＵＶカット素材）であってもよい。この場合、布部材を構成する材料は、前記遮光物質を保持し得るものであれば特に限定されるものではない。本実施形態のバンダナは、ＵＶカット素材で形成されてなることにより、ＵＶから頭部側を保護し得るという利点がある。
尚、遮光物質とは、光（特にＵＶ）を透過させ難い物質のことを意味する。
【符号の説明】
【００４０】
１：バンダナ、２：装着部、２ａ：額被覆部、２ｂ：括付部、３：膨出部
【図１】
2010159505.tif 000003
【図２】
2010159505.tif 000004